(57)【要約】【課題】  清掃面に繊維層が現れている清掃用シートにおいて、清掃時の圧力によって、繊維層が潰れにくく、長期間に渡って清掃効果を発揮しやすくする。【解決手段】  伸縮シート１１を伸ばした状態で繊維層１２を重ねて伸縮シート１１と繊維層１２とを、間隔を空けて形成された接合線１９によって接合する。その後に伸縮シート１１を自らの弾性復元力で収縮させると、接合線１９と接合線１９との間隔が狭まって、接合線１９と接合線１９との間の繊維層１２が立ち上がってループ部１３が形成される。このループ部１３は潰れ難く、長期間に渡って清掃効果を発揮できるようになる。【選択図】図４
2005261515.tif 000002
【特許請求の範囲】
【請求項１】
被清掃部を清掃する清掃面を有する清掃用シートにおいて、
伸縮自在な伸縮シートに、繊維層が重ねられて、前記繊維層で形成された多数のループ部が前記清掃面に設けられており、
前記ループ部は、前記伸縮シートを伸長させた状態で前記繊維層と前記伸縮シートとを前記繊維層の繊維の延びる方向に間隔を空けて接合した後に、前記伸縮シートを自らの弾性復元力で収縮させることにより形成されたものであることを特徴とする清掃用シート。
【請求項２】
前記ループ部は、繊維の延びる方向と直交する方向に間隔を空けて配置されている請求項１記載の清掃用シート。
【請求項３】
前記繊維層は、複数本の連続繊維の束を捻って紐状にしたものであり、この紐状の繊維層によって前記ループ部が形成されている請求項１または２記載の清掃用シート。
【請求項４】
前記伸縮シートは、伸縮性の樹脂フィルムと不織布とが重ねられて接合されたものであり、前記繊維層が前記不織布の表面に配置されて、前記繊維層と前記不織布とが接合されている請求項１ないし３のいずれかに記載の清掃用シート。
【請求項５】
前記ループ部が設けられた前記清掃面は長方形で、前記清掃面の両長辺から両外側へ保持シート部が延出しており、前記清掃面が清掃用ホルダの底面にて外側に向けて設置された状態で、前記保持シート部が前記清掃用ホルダの上面に固定可能とされている請求項１ないし４のいずれかに記載の清掃用シート。
【発明の詳細な説明】
【技術分野】
【０００１】
本発明は、被清掃部を拭く清掃用シートに係わり、特に製造が容易であり、且つゴミや埃を捕捉する効果の高い清掃用シートに関する。
【背景技術】
【０００２】
モップ形状のホルダなどに取付けられて床面などの清掃に使用される清掃用シートは、被清掃部を拭く清掃面が不織布で形成されているものや、前記清掃面に多数の繊維が現れているものがある。
【０００３】
以下の特許文献１に記載の清掃用シートは、基材シートに連続繊維の層が重ねられて、前記連続繊維の層と前記基材シートとが、繊維の延びる方向へ間隔を空けた位置で接合線により接合されており、前記接合線と接合線との間に、前記連続繊維が連続している部分と、前記連続繊維が切断されてブラシ部が形成されている部分とが設けられている。この清掃用シートは、前記ブラシ部で被清掃部のゴミや埃を払うことができ、また前記連続繊維が連続している部分でゴミや埃を捕捉することができる。
【０００４】
特許文献２に記載の清掃用シートは、基材シートに連続繊維の層が重ねられ、互い違いに配置された複数の接合線によって、前記連続繊維が前記基材シートに部分的に接合されている。そして前記接合線と接合線との間で連続繊維の層に膨らみが形成されている。この清掃用シートは、前記連続繊維の層で膨らみを形成することにより、この膨らみの部分でゴミや埃を拭き払うことができ、また膨らみを有する連続繊維の層の内部にゴミや埃を取り込むことが可能となっている。
【０００５】
特許文献３に記載の清掃用シートは、連続繊維から切断された繊維の層が基材シートに植え込まれて、前記基材シートから延びるブラシ部が形成されている。
【０００６】
前記特許文献４に記載の清掃用シートは、伸縮性の基材シートが使用され、この基材シートを伸ばした状態で、連続繊維の層を重ね、前記連続繊維の繊維が延びる方向に間隔を空けて、前記連続繊維の層と基材シートとを接合線で接合する。その後に接合線と接合線との間で連続繊維の層を切断して前記接合線から前記繊維の層が延び出るブラシ部を形成するとともに、前記基材シートを自らの弾性復元力で収縮させることにより、前記ブラシ部の間隔を短くしている。
【０００７】
前記特許文献３および特許文献４に記載の清掃用シートは、いずれも基材シートから延び出るブラシ部によってゴミや埃を拭き払う機能を発揮できる。
【特許文献１】特開平１１−２３５３０１号公報
【特許文献２】特開平１１−２６７０７８号公報
【特許文献３】特開２００１−２９９６５８号公報
【特許文献４】特開２００１−２９９６５７号公報
【発明の開示】
【発明が解決しようとする課題】
【０００８】
前記各特許文献に記載の清掃用シートは、清掃面に繊維の層を配置し、あるいは繊維の層でブラシ部を形成することにより、不織布のみで形成された清掃用シートに比べてゴミや埃を拭き払う機能やゴミや埃を捕捉する機能を向上させることが可能である。
【０００９】
しかし、前記各特許文献に記載の清掃用シートは、使用開始から一定の期間は優れた清掃効果を発揮できるものの、長期間使用し続けると、ゴミや埃を捕捉する効果が低下しがちである。その理由は、基材シートの表面に繊維層が重ねられているものでは、清掃時の圧力により繊維層が潰れやすい点にある。また、繊維の層で前記ブラシ部を形成したものにおいても、長期間の使用により被清掃部との圧力でブラシ部が倒れて潰され、あるいは繊維どうしが絡みあって、ゴミや埃を拭き払う効果が低下しやすい。
【００１０】
本発明は上記従来の課題を解決するものであり、清掃面に繊維が現れているものにおいて、前記清掃面に圧力が作用してもゴミや埃を拭き払う機能や捕捉する機能が低下しにくく、長期間の使用に耐えることが可能な清掃用シートを提供することを目的としている。
【課題を解決するための手段】
【００１１】
本発明は、被清掃部を清掃する清掃面を有する清掃用シートにおいて、
伸縮自在な伸縮シートに、繊維層が重ねられて、前記繊維層で形成された多数のループ部が前記清掃面に設けられており、
前記ループ部は、前記伸縮シートを伸長させた状態で前記繊維層と前記伸縮シートとを前記繊維層の繊維の延びる方向に間隔を空けて接合した後に、前記伸縮シートを自らの弾性復元力で収縮させることにより形成されたものであることを特徴とするものである。
【００１２】
本発明の清掃用シートは、伸縮シートの弾性収縮力によって前記繊維層を清掃面から立ち上がらせてループ部を形成しているため、ループ部の剛性を高くでき、被清掃部との接触圧力によりループ部が潰れにくい。また伸縮シートを弾性収縮させてループ部を形成しているために、ループ部を形成するための工程が簡単である。また、伸縮シートを収縮させることによりループ部を密集させることができ、ゴミや埃を拭き払う機能および補足する機能を高くできる。
【００１３】
また、本発明は、前記ループ部は、繊維の延びる方向と直交する方向に間隔を空けて配置されているものである。
【００１４】
前記ループ部が前記方向において間隔を空けて配置されていると、隣り合うループ部とループ部との間において、ゴミや埃を捕捉しやすくなる。
【００１５】
本発明は、好ましくは、前記繊維層は、複数本の連続繊維の束を捻って紐状にしたものであり、この紐状の繊維層によって前記ループ部が形成されているものである。
【００１６】
連続繊維を所定本数ずつ分割して捻って紐状の繊維層を形成すると、ループ部の剛性を更に高くでき、ループ部が潰れにくくなる。
【００１７】
また本発明は、前記伸縮シートは、伸縮性の樹脂フィルムと不織布とが重ねられて接合されたものであり、前記繊維層が前記不織布の表面に配置されて、前記繊維層と前記不織布とが接合されているものとして構成できる。
【００１８】
この清掃用シートでは、前記不織布の表面から前記ループ部が立ち上がる構造であるため、床面などの被清掃部に対して清掃用シートの清掃面を強く押し付けたときに、前記ループ部と共に前記不織布が床面などを摺動するため、清掃時の摩擦抵抗が小さくなる。また前記不織布自体も床面などに位置する埃やゴミを拭き取る効果を発揮できる。
【００１９】
また、本発明は、前記ループ部が設けられた前記清掃面は長方形で、前記清掃面の両長辺から両外側へ保持シート部が延出しており、前記清掃面が清掃用ホルダの底面にて外側に向けて設置された状態で、前記保持シート部が前記清掃用ホルダの上面に固定可能とされたものとして構成できる。
【発明の効果】
【００２０】
本発明では、伸縮シートの収縮力を利用して繊維層を立ち上げてループ部を形成しているため、ループ部を形成する工程を簡単にできる。またループ部を密集させて立ち上げることが可能であるため、ループ部によってゴミや埃を除去して補足する効果を高くできる。
【発明を実施するための最良の形態】
【００２１】
図１は本発明の第１の実施の形態の清掃用シートを清掃面を上向きとして示した斜視図、図２は前記清掃用シートの清掃面に設けられたループ部を拡大して示す拡大斜視図、図３は伸長させた伸縮シートに繊維層を接合した状態を示す側面図、図４は伸縮シートを弾性復元させて多数のループ部を形成した状態を示す側面図、図５はループの拡大側面図、図６は第１の実施の形態の清掃用シートがホルダに取付けられた状態を示す斜視図、図７は図のＶＩＩ矢視での拡大側面図である。
【００２２】
第１の実施の形態の清掃用シート１は、幅寸法Ｗ１の範囲が清掃機能部２である。前記清掃機能部２のうちの、図１において上に向けられている側が清掃面３であり、図示下に向けられている側が把持部４である。前記清掃機能部２は、Ｘ方向の幅寸法が前記Ｗ１であり、Ｙ方向の長さ寸法が前記Ｗ１の１．５倍以上となる長方形状である。
【００２３】
前記清掃機能部２および清掃面３は長方形状である。前記清掃機能部２の左右両側の長辺から左右両側には幅寸法Ｗ２の保持シート部５，５が延出している。
【００２４】
前記清掃機能部２の把持部４および前記保持シート部５，５は、基材シート１０によって一体に形成されている。この基材シート１０は、図１に示す清掃用シート１の全体と同じ形状で同じ寸法である。
【００２５】
前記清掃機能部２では、前記基材シート１０の表面に伸縮シート１１が重ねられており、この伸縮シート１１の表面に繊維層１２で形成された多数のループ部１３が設けられている。ループ部１３はＸ方向に連続的に繰り返すように形成され、且つＹ方向に所定の間隔を空けて配置されている。前記繊維層１２は、清掃機能部２の清掃面３においてＸ方向に途切れることなく連続する連続繊維で形成されており、所定本数の連続繊維が捻られて紐状とされ、この紐状の繊維層１２によって前記ループ部１３が形成されている。なお、前記繊維層１２は、連続繊維で形成されているものに限られず、例えば繊維長が３０〜６０ｍｍ程度の長繊維の束を捻って紐状としたものであってもよい。
【００２６】
図３と図４は前記ループ部１３の製造過程を示している。前記伸縮シート１１は、弾性的に伸長し且つ収縮変形可能なものであり、限界歪みが１０〜１５０％程度である。伸縮シートは少なくとも清掃面３側が不織布で形成されている。この実施の形態では、図５に示すように、前記伸縮シート１１が、伸縮性フィルム１５と、この伸縮性フィルム１５の清掃面３側に積層された不織布１６と、前記伸縮性フィルム１５の把持部４側に積層された不織布１７を有している。前記伸縮性フィルム１５と不織布１６および不織布１７は、熱エンボスなどによって部分的に接合されている。
【００２７】
前記伸縮シート１１は、スチレン系エラストマーなどで形成された伸縮性フィルムである。前記不織布１６と１７は、熱融着可能な熱可塑性繊維を含んでおり、例えばポリプロピレン（ＰＰ）樹脂で形成されたスパンボンド不織布である。前記伸縮シート１１の目付けは、５〜２００ｇ／ｍ２であり、好ましくは２０〜５０ｇ／ｍ２である。
【００２８】
図３に示すように、前記伸縮シート１１をＸ方向に伸長させた状態で、伸縮シート１１に繊維層１２が重ねられる。この繊維層１２は、ＴＯＷ（トウ）と称される連続繊維の塊を開繊し、開繊した連続繊維を所定本数ずつの束に分離し、この繊維の束を捻って紐状にしたものである。この紐状の繊維層１２はＸ方向に連続して延び且つＹ方向に間隔を空けて並べられて前記伸縮シート１１の上に重ねられる。１本の連続繊維の繊度は１．１〜８．８ｄｔｅｘの範囲であり、捻りを与えた紐状の繊維層１２の１束あたりの繊度は３００〜１５００ｄｔｅｘの範囲である。
【００２９】
前記連続繊維は熱融着可能な熱可塑性樹脂で形成されており、ポリエチレン（ＰＥ），ポリプロピレン（ＰＰ），ナイロン（Ｎｙ），ポリエステルなどの合成樹脂繊維である。あるいは前記合成樹脂繊維にレーヨン、アセテートなどが含まれたものであってもよい。前記連続繊維を形成する合成樹脂繊維は、界面活性剤が塗布されまたは界面活性剤が練り込まれて親水化処理されたものが好ましく使用される。
【００３０】
前記伸縮シート１１をＸ方向へ伸長させた状態で、前記繊維層１２と伸縮シート１１とが部分的に接合される。この接合は、前記繊維層１２と前記伸縮シート１１とを接合線１９において溶接することで行われる。前記接合線１９は、繊維層１２の繊維の延びる方向であるＸ方向へ一定の間隔を空け且つＹ方向に直線的に延びている。前記溶接のための手段は、熱シールや超音波シールである。また前記溶接に代えてまたは溶接とともに接着剤を用いて前記伸縮シート１１と繊維層１２とを前記接合線１９において接着してもよい。
【００３１】
前記伸縮シート１１と繊維層１２とを溶接する際には、伸縮シート１１の表面に位置する前記不織布１６と前記繊維層１２のみを溶融させ、伸縮性フィルム１５を溶融させないことまたは伸縮フィルム１１を厚み方向において完全に溶融させないことが好ましい。前記伸縮性フィルム１５を溶融させないことにより、伸縮シート１１の弾性収縮機能が低下するのを防止できる。
【００３２】
前記接合線１９において、伸縮シート１１と繊維層１２とを接合した後に、伸縮シート１１に与えられていた伸長力を解除し、伸縮シート１１を自らの弾性復元力により収縮させる。その結果、図４に示すように前記接合線１９の間隔が縮まって、接合線１９と接合線１９との間に位置する前記紐状の繊維層１２によりループ部１３が形成される。
【００３３】
前記ループ部１３の高さ寸法は５〜３０ｍｍである。前記範囲であると、ゴミの捕捉率を高く保ちまた個々のループ部１３の弾性力も十分に発揮できる。また、図４に示すように伸縮シート１１が収縮した状態で、接合線１９のＸ方向での間隔は５〜１００ｍｍであり、１０〜５０ｍｍであることが好ましい。また紐状の繊維層１２で形成されたループ部１３のＹ方向での間隔は０〜１５ｍｍの範囲であるが、所定寸法の間隔が設けられていることが好ましい。前記伸縮シート１１を収縮させて接合線１９を接近させて前記ループ部１３を形成することにより、ループ部１３を密集して配置させることができる。ループ部１３が形成された状態において、繊維層１２の目付けは２０〜２５０ｇ／ｍ２の範囲である。前記範囲であると、床面などの被清掃部上のゴミや埃を捕捉する効果を高めることができる。
【００３４】
図４に示すように、表面に多数のループ部１３が形成された伸縮シート１１は、基材シート１０に重ねられ、伸縮シート１１と基材シート１０が溶接やホットメルト型接着剤を用いた接着により固定される。図１に示すように、前記伸縮シート１１は基材シート１０上においてＸ方向の中央部に設置される。この伸縮シート１１が重ねられている領域が前記清掃機能部２であり、この清掃機能部２からＸ方向の両側へ突出する前記基材シート１０によって、前記保持シート部５，５が形成される。またループ部１３は、前記伸縮シート１１の表面すなわち清掃面３のほぼ全域に渡って配列している。
【００３５】
前記清掃用シート１は、図６および図７に示すモップ型のホルダ４０に装着されて使用される。
【００３６】
前記ホルダ４０は、支持プレート４１と、前記支持プレート４１の下面に保持された支持体４２と、前記支持プレート４１の上面に回動自在に連結された柄４３とを有している。前記支持プレート４１の上面には一対の支持ブラケット４４が一体に形成されている。この支持ブラケット４４の間には、連結部材４５が回動自在に取付けられ、前記柄４３の基部が前記連結部材４５に回動自在に連結されている。その結果、柄４３は各方向へ自由に倒れることができるようになっている。
【００３７】
前記支持プレート４１の上面には、Ｙ方向に間隔を空けて一対の固定部材４６，４６が設けられており、この固定部材４６，４６は、柄４３に向けられる基部４６ａ，４６ａが前記支持プレート４１に回動自在に連結されている。
【００３８】
前記清掃用シート１は使い捨て用であり、ホルダ４０に装着されるときには、図７に示すように、清掃機能部２の把持部４が、前記支持体４２の底面４２ａに当てられ、清掃機能部２の清掃面３が下に向けられた状態で、前記保持シート部５，５が支持プレート２１の上面に巻きつけられ、この保持シート部５，５が、支持プレート２１の上面と前記固定部材４６，４６との間で挟持されて固定される。
【００３９】
清掃用シート１がホルダ４０に取付けられた状態において、前記清掃機能部２の全体が、支持体４２の底面４２ａに支持され、支持体４２の底面４２ａには、ほぼ全域に前記ループ部１３が位置する。前記接合線１９は、前記底面４２ａにおいてその長辺と並行に延び、個々のループ部１３がＸ方向およびＹ方向に配列した状態となる。
【００４０】
前記清掃用シート１は、基本的には乾燥状態で使用される。ただし、ループ部１３を形成している繊維層１２が親水性繊維または親水化処理された繊維で形成されていると、床面などの被清掃部に付着していた水分をゴミや埃と共に吸着することが可能である。
【００４１】
前記清掃用シート１が保持されたホルダ４０の柄４３を保持し、支持体４２を、床面などの被清掃部に沿って、主にＸ方向さらにはＹ方向へ摺動させることにより清掃作業が行われる。前記支持体４２の底面４２ａに位置する清掃機能部２では、多数のループ部１３が形成されているため、多数のループ部１３によって、床面などのゴミや埃を払うことができ、ループ部１３を構成する繊維間やループ部１３とループ部１３との間、さらにループ部１３と伸縮シート１１との間にゴミや埃を保持することができる。
【００４２】
伸縮シート１１を収縮させることによって、ループ部１３を密集させることができるため、個々のループ部１３が清掃時の圧力によって潰れにくい。特にこの実施の形態では、個々のループ部１３が繊維の束を捻ることにより形成されているため、ループ部１３の剛性が高く、清掃時の圧力によってループ部１３が潰れにくい。よって長期間に渡ってループ部１３が清掃面３で立ち上がった状態を維持でき、清掃効果を長期間発揮することができる。
【００４３】
また、清掃面３が多数のループ部１３を有することにより、清掃面３と床面などとの間の摩擦抵抗を低減できる。
【００４４】
前記伸縮シート１１の清掃面３に不織布１６が現れ、ループ部１３がこの不織布１６から立ち上がっているため、不織布１６による清掃効果も期待できる。すなわち、ループ部１３により補足したゴミや埃が不織布１６の表面に付着して、このゴミや埃が清掃面３から離脱しにくくなる。
【００４５】
本発明は、前記第１の実施の形態の清掃用シート１に限定されるものではなく、種々の変更が可能である。
【００４６】
本発明の清掃用シートは、伸縮シート１１を伸長させた状態で繊維層１２を接合する際に、接合線１９の配列ピッチを変えることによって、ループ部１３の大きさを、場所によって相違させることができる。また、接合線１９の形成パターンを鋸刃パターン、波状パターン、前記波状パターン以外の曲線パターンなどに変更することによっても、ループ部１３の大きさを、場所によって相違させることが可能である。
【００４７】
図８（Ａ）（Ｂ）（Ｃ）（Ｄ）は、いずれも前記接合線１９の配列ピッチに変化を持たせた場合の実施の形態を示すものであり、図４と同じ側面図である。なお図８の各図では、伸縮シート１１とループ部のみを示し、基材シート１０は省略している。
【００４８】
図８（Ａ）に示す清掃用シート１０１は、伸縮シート１１をＸ方向へ伸長させた状態で、捻りを与えた紐状の繊維層１２を接合する際に、接合線１９のピッチをＸ方向における中央部分で粗く、その前後において段階的に徐々に狭くしている。その後に伸縮シート１１を収縮させてループ部１１３を形成すると、前記ループ部１１３は、中央部においてＸ方向での幅寸法および立ち上がり寸法が大きく、前後に向うにしたがって前記幅寸法および立ち上がり寸法が段階的に小さくなる。
【００４９】
図８（Ｂ）に示す清掃用シート２０１は、伸縮シート１１を伸長させて繊維層１２を接合する際の接合線１９のピッチを、Ｘ方向での前後領域で粗くし中央部に向うにしたがって徐々に狭くしている。その結果、伸縮シート１１を収縮させると、ループ部２１３が、Ｘ方向の前後において大きく立ち上がり、中央に向うにしたがって立ち上がり寸法が徐々に小さくなる。
【００５０】
図８（Ｃ）に示す清掃用シート３０１は、伸縮シート１１を伸長させて繊維層１２を接合する際に、Ｘ方向の中央部分で接合線１９を粗いピッチで且つ等間隔に形成し、その前後では接合線１９を狭いピッチで且つ等間隔に形成している。その結果、伸縮シート１１を収縮させると、ループ部３１３は中央部分において同じ大きさで且つ幅寸法と立ち上がり寸法が大きく、前後においてはループ部３１３は幅寸法および立ち上がり寸法が小さい寸法で且つ同じ大きさとなる。
【００５１】
図８（Ｄ）に示す清掃用シート４０１は、前記図８（Ｃ）と逆であり、接合線１９のピッチは中央部で狭く、前後において粗くなっており、その結果、ループ部４１３は中央部分において低く且つ小さく同じ大きさのものが並び、その前後でループ部４１３は、幅が大きく且つ高さ寸法大きいものが並んでいる。
【００５２】
また、前記第１の実施の形態の清掃用シート１では、繊維の束に捻りを与えて紐状とされた繊維層１２でループ部１３が形成されているが、本発明は繊維に捻りを与えることなくループ部１３を形成してもよい。この場合に、伸縮シート１１を伸ばした状態で、ＴＯＷから開繊された繊維層を、Ｙ方向に間隔を空けて、複数条の帯となるように配置し、接合線１９において伸縮シート１１と繊維層１２とを接合した後に伸縮シート１１を収縮させてもよい。このようにして形成されたループ部は、Ｙ方向に間隔を空けて、且つＸ方向に向けて凹凸が連続して繰り返すような形状となる。
【図面の簡単な説明】
【００５３】
【図１】本発明の第１の実施の形態の清掃用シートを清掃面を上向きにして示した斜視図、
【図２】図１の部分拡大斜視図、
【図３】伸縮シートを伸ばして繊維層を接合した状態を示す側面図、
【図４】伸縮シートを収縮させて多数のループ部を形成し、さらに伸縮シートを基材シートに取付ける状態を示す側面図、
【図５】ループ部を拡大した側面図、
【図６】清掃用シートをホルダに装着した状態を示す斜視図、
【図７】図６のＶＩＩ矢視の拡大側面図、
【図８】（Ａ）（Ｂ）（Ｃ）（Ｄ）は清掃用シートの他の実施の形態を示す側面図、
【符号の説明】
【００５４】
１  清掃用シート
２  清掃機能部
３  清掃面
４  把持部
１０  基材シート
１１  伸縮シート
１２  繊維層
１３  ループ部
１５  伸縮性フィルム
１６，１７  不織布
１９  接合線
４０  ホルダ
４２  支持体
【図１】
2005261515.tif 000003
【図２】
2005261515.tif 000004
【図３】
2005261515.tif 000005
【図４】
2005261515.tif 000006
【図５】
2005261515.tif 000007
【図６】
2005261515.tif 000008
【図７】
2005261515.tif 000009
【図８】
2005261515.tif 000010